(57)【要約】      （修正有）【課題】単３型乾電池または単４型乾電池を用いて、携帯電話機の内蔵電池の充電を行う、携帯電話機用外付けケースにおいて、上記乾電池を直列接続させて充電を行うと電流の一部が乾電池の自己抵抗により消耗し乾電池を効率よく使用できないという問題を改善する。【解決手段】単３型乾電池または単４型乾電池７を２本以上交換可能に本体８に収容して並列接続させる。乾電池７の出力電圧を、携帯電話機２を充電し得る充電許容電圧に昇圧する回路部９を設けることにより、電池収容部を効率よく使用することができる。回路部９は、昇圧した出力電圧が充電許容電圧以外のとき、出力電圧を充電許容電圧に調節する調節回路を有することが好ましい。【選択図】    図１
2004273411.tif 000002
【特許請求の範囲】
【請求項１】
単＊型乾電池を用いて携帯電話機の充電を行う携帯電話機用外付け電池ケースであって、前記単＊型乾電池を２本以上交換可能に収容する本体と、その本体に収容された単＊型乾電池を並列に接続する接続手段と、その接続手段により接続された単＊型乾電池の出力電圧を、前記携帯電話機を充電し得る充電許容電圧に昇圧する回路部とを備えたことを特徴とする携帯電話機用外付け電池ケース。
【請求項２】
前記回路部が、前記昇圧した出力電圧が前記充電許容電圧以外のとき、該出力電圧を前記充電許容電圧に調節する調節回路を有する請求項１に記載の携帯電話機用外付け電池ケース。
【請求項３】
前記接続手段が、前記各単＊型乾電池のマイナス極にそれぞれ接続され、１つのマイナス連結端子にそれぞれ接続されるマイナス端子と、前記各単＊型乾電池のプラス極にそれぞれ接続され、個別に前記回路部に接続されるプラス端子とからなり、かつ、前記携帯電話機に電気的に接続したときのみ、前記回路に前記単＊型乾電池の電流が流れ得る状態にするスイッチ手段を設けた請求項１又は２に記載の携帯電話機用外付け電池ケース。
【請求項４】
前記回路部が、前記本体に収容された２本以上の単＊型乾電池を順に１本ずつ切り替えて前記充電を行う切替回路を有する請求項３に記載の携帯電話機用外付け電池ケース。
【請求項５】
前記切替が、充電を行っている１本の乾電池を使い切った後に行われる請求項４に記載の携帯電話機用外付け電池ケース。
【請求項６】
前記本体に収容されている各単＊型乾電池の前記充電を行えるか否かの状態を表示する表示手段を設けた請求項１乃至５のいずれか１項に記載の携帯電話機用外付け電池ケース。
【請求項７】
前記表示手段が、インジケーター又はＬＥＤである請求項６に記載の携帯電話機用外付け電池ケース。
【請求項８】
前記回路部が、前記携帯電話機に電気的に接続され、該携帯電話機からの信号により前記充電許容電圧を該携帯電話機の充電許容電圧にする電圧決定回路を有する請求項１乃至７のいずれか１項に記載の携帯電話機用外付け電池ケース。
【請求項９】
前記本体に収容される単＊型乾電池の数が、２本、３本、４本、または５本である請求項１乃至８のいずれか１項に記載の携帯電話機用外付け電池ケース。
【請求項１０】
前記単＊型乾電池が、一次電池又は二次電池である請求項１乃至９のいずれか１項に記載の携帯電話機用外付け電池ケース。
【請求項１１】
前記単＊型乾電池が、単３型乾電池又は単４型乾電池である請求項１乃至１０のいずれか１項に記載の携帯電話機用外付け電池ケース。
【発明の詳細な説明】
【０００１】
【発明の属する技術分野】
本発明は、単＊型乾電池を効率よく使用することができる携帯電話機用外付け電池ケースに関するものである。
【０００２】
【従来の技術】
携帯電話機は、電源としてリチウム電池やニッカド電池などの二次電池である充電可能な電池（バッテリー）を内蔵している。電池切れの場合には、通常、付属している充電器（専用充電器）を用いて商用電源（ＡＣ電源）等から内蔵電池の充電を行っている。
【０００３】
専用充電器は、携帯することを前提にするものではなく、自宅等の建物の所定の場所に置いて使用するものであり、携帯に適さず、しかも、商用電源がない場所では役に立たない。このため、内蔵電池の残量が少なくなると、予め専用充電器を用いて充電を行なう必要があるが、常に残量を気にするわけではない。残量が少ない状態や電池切れの状態のまま外出することもあり、外出時、電池切れが起こり携帯電話機を使用することができなくなってしまうことがある。特に、近年、内蔵電池は、１回の充電で長時間の使用が可能になってきているので、残量を気にする頻度が少なくなり、外出時、電池切れを起こすことが多くなると思われる。
【０００４】
このため、外出先でも携帯電話機の内蔵電池の充電を市販の例えば単３型乾電池を用いて行える携帯電話機用外付け電池ケースが提案されている（例えば、特許文献１参照。）。また、簡単に内蔵電池の充電を行え、携帯性に優れた携帯電話機用外付け電池ケースも提案されている。
【０００５】
この携帯電話機用外付け電池ケースは、市販の乾電池である単３型乾電池３本を交換可能に収容する電池収容部を有する本体と、その電池収容部の開口部を開閉する蓋と、本体に取り付けられ、単３型乾電池を直列接続する接続端子と、携帯電話機のインターフェイスコネクタに嵌合される接続コネクタと、その接続コネクタに取り付けられ、携帯電話機のインターフェイスコネクタに電気的に接続される接触端子と、その接触端子と接続端子とを接続する接続部材と、を備えたものである。この携帯電話機用外付け電池ケースの本体に単３型乾電池３本を収容してから、接続コネクタを携帯電話機のインターフェイスコネクタに嵌合することで、接触端子とインターフェイスコネクタとが電気的に接続されて、直列接続された３本の乾電池によって携帯電話機の内蔵電池が充電される。
【０００６】
【特許文献１】
実用新案登録第３０５０００６号公報
【０００７】
【発明が解決しようとする課題】
ところで、前述の携帯電話機用外付け電池ケースは、３本の単３型乾電池を本体に収容し、収容後、接続コネクタを携帯電話機のインターフェイスコネクタに嵌合することにより、携帯電話機の内蔵電池の充電を行うことができる。しかし、たとえ直列接続する３本の単３型乾電池の容量が同じか又はほぼ同じであっても単３型乾電池を効率よく使用することができないことがある。つまり、電池の容量とは、パワーのことで電流をどれだけの時間流せるかであり、単３型乾電池を３本直列接続したとき、例えば、１本の乾電池の電流が他の２本の乾電池内を通過するときがある。その場合、電流の一部が乾電池内の自己抵抗により消耗して、乾電池の容量が少なくなり、単３型乾電池を効率よく使用することができない。
【０００８】
そこで、本発明は、このような実情に鑑みなされたものであり、その目的は、単＊型乾電池を効率よく使用することができる携帯電話機用外付け電池ケースを提供することにある。
【０００９】
【課題を解決するための手段】
前記目的を達成するために、本発明の携帯電話機用外付け電池ケースは、単＊型乾電池を用いて携帯電話機の充電を行う携帯電話機用外付け電池ケースであって、前記単＊型乾電池を２本以上交換可能に収容する本体と、その本体に収容された単＊型乾電池を並列に接続する接続手段と、その接続手段により接続された単＊型乾電池の出力電圧を、前記携帯電話機を充電し得る充電許容電圧に昇圧する回路部とを備えたものである。
前記回路部が、前記昇圧した出力電圧が前記充電許容電圧以外のとき、該出力電圧を前記充電許容電圧に調節する調節回路を有することが好ましい。
前記接続手段が、前記各単＊型乾電池のマイナス極にそれぞれ接続され、１つのマイナス連結端子にそれぞれ接続されるマイナス端子と、前記各単＊型乾電池のプラス極にそれぞれ接続され、個別に前記回路部に接続されるプラス端子とからなり、かつ、前記携帯電話機に電気的に接続したときのみ、前記回路に前記単＊型乾電池の電流が流れ得る状態にするスイッチ手段を設けることが好ましい。
前記回路部が、前記本体に収容された２本以上の単＊型乾電池を順に１本ずつ切り替えて前記充電を行う切替回路を有することが好ましい。
前記切替が、充電を行っている１本の乾電池を使い切った後に行われることが好ましい。
前記本体に収容されている各単＊型乾電池の前記充電を行えるか否かの状態を表示する表示手段を設けることが好ましい。
前記表示手段が、インジケーター又はＬＥＤであることが好ましい。
前記回路部が、前記携帯電話機に電気的に接続され、該携帯電話機からの信号により前記充電許容電圧を該携帯電話機の充電許容電圧にする電圧決定回路を有することが好ましい。
前記本体に収容される単＊型乾電池の数が、２本、３本、４本、または５本であることが好ましい。
前記単＊型乾電池が、一次電池又は二次電池であることが好ましい。
前記単＊型乾電池が、単３型乾電池又は単４型乾電池であることが好ましい。
【００１０】
【発明の実施の形態】
以下、本発明の実施の形態を添付図面に基づいて詳述する。
図１は本発明の携帯電話機用外付け電池ケースが示されている図である。図２乃至図４は本発明の携帯電話機用外付け電池ケースの他の例が示されている図である。図１乃至図４において、１は携帯電話機用外付け電池ケースを示し、この携帯電話機用外付け電池ケース１は、携帯電話機２の内蔵電池（図示せず）を充電するためのものである。
【００１１】
携帯電話機２としては、機種によっていろいろな形状のものがあり特に限定されず、ストレートタイプのものであっても、図示するような二つ折りタイプのものであってもよい。
携帯電話機２の端面のほぼ中央部には、通信データの送受信や内蔵されている充電可能な内蔵電池（バッテリー）の充電等を行えるようにインターフェイスコネクタ３が設けられている。
【００１２】
インターフェイスコネクタ３は、メス型のコネクタであり、その形状は、携帯電話機が利用する方式によって異なる。携帯電話機の主な方式は、ＰＤＣ（Ｐｅｒｓｏｎａｌ  Ｄｉｇｉｔａｌ  Ｃｅｌｌｕｌａｒｓｙｓｔｅｍ：デジタル携帯電話）とＣＤＭＡ（Ｃｏｄｅ  Ｄｉｖｉｓｉｏｎ  Ｍｕｌｔｉｐｌｅ  Ａｃｃｅｓｓ：符号分割多重接続）との２つがあり、この２つの方式を利用した携帯電話機のコネクタ部は嵌合形状が異なるが、本実施の形態では、特に限定せずに説明する。
インターフェイスコネクタ３には、嵌合凹部４内に例えば１６個のコネクタ端子（図示例では３つ）５ａ、５ｂ、５ｃを有する端子部（図示せず）が嵌合凹部４の深さ方向に沿って立設されている。インターフェイスコネクタ３は、未使用時、ゴミ等が入らないようにカバー（図示せず）が装着されている。このインターフェイスコネクタ３に携帯電話機用外付け電池ケース１の接続コネクタ６が挿入されて嵌合される。
【００１３】
携帯電話機用外付け電池ケース１は、単＊型乾電池７を２本以上交換可能に収容する本体８と、その本体８の長手方向の一方の端面（取付面）に、その長手方向に沿って延在すると共に一体的（又は個別）に設けられる接続コネクタ６と、本体８内に設けられ、出力電圧を調節する回路部９とからなる。
本体８（蓋（図示せず）を含む）及び接続コネクタ６の材質は、絶縁材料であればどのようなものでもよく、例えばプラスチック等の合成樹脂が用いられる。
【００１４】
接続コネクタ６は、携帯電話機２のインターフェイスコネクタ３の嵌合凹部４に挿入されて嵌合されるオス型のコネクタであり、本体８の長手方向に沿って延在する断面ほぼ細長の矩形状に形成されている。接続コネクタ６には、インターフェイスコネクタ３の端子部が嵌合される端子凹部（図示せず）が設けられている。端子凹部には、プラス接触端子１０、マイナス接触端子１１が設けられており、端子凹部にインターフェイスコネクタ３の端子部が嵌合されたとき、プラス接触端子１０、マイナス接触端子１１と端子部の内蔵電池の外部出入力端子（プラスコネクタ端子、マイナスコネクタ端子）５ａ、５ｂとが電気的に接続されて、内蔵電池の充電が行えるようになっている。
プラス接触端子１０及びマイナス接触端子１１には、外部出入力端子との接続が確実に行われるように端子凹部の内側に突出する突部（図示せず）をそれぞれ設けることが好ましい。
【００１５】
接続コネクタ６を形成する壁部は、嵌合凹部４の対応する内壁とそれぞれ嵌合し得るように例えば長さが長い対向する両壁部（両長壁部）に、溝や突出した部分（突条）が設けられている。すなわち、接続コネクタ６を嵌合凹部４に挿入して嵌合するとき、接続コネクタ６を左右逆に挿入しようとしても、挿入できないような形状に接続コネクタ６を形成する壁部が形成されている。
【００１６】
接続コネクタ６には、インターフェイスコネクタ３に挿嵌したとき、接続コネクタ６（携帯電話機用外付け電池ケース１）がインターフェイスコネクタ３から抜け難くする抜出抑制部（図示せず）を設けることが好ましい。
抜出抑制部は、どのように構成してもよく、例えば、接続コネクタ６の両短壁部（残りの両壁部（長さが短い対向する両壁部））に、インターフェイスコネクタ３の嵌合凹部４を形成する内壁又は内壁に設けられた係合部と係合して接続コネクタ６を係止する係止部をそれぞれ一体的に又は個別に設けて構成するようにしてもよい。
【００１７】
一体的に設けられる係止部としては、嵌合方向に沿って延在すると共に、短壁部内に可撓可能に形成される。係止部の外表面には、例えば断面ほぼ半円形状の突部（係合突部）が設けられ、この突部が嵌合凹部の内壁の係合部（図示せず）と係合し、接続コネクタ６がインターフェイスコネクタから抜け難くなる。
【００１８】
抜出抑制部としては、係止部を設けて構成してもよいが、接続コネクタ６の両短壁部に、接続コネクタ６の延在方向に沿って延在し、端子凹部に連通されるスリットを設けて構成してもよい。この場合、接続コネクタ６の長壁部の幅（長壁部の外表面の幅）は、対応する嵌合凹部の長内壁の幅より大きく、好ましくは少し大きく形成することがよい。
スリットは、接続コネクタ６の長壁部の幅を弾性変形により短くするものであり、スリットの幅は、長壁部の幅を弾性変形により嵌合凹部の長内壁の幅以下にする範囲から任意に決められる。
【００１９】
接続コネクタ６には、嵌合凹部４への挿嵌が容易に行えるように嵌合案内部（図示せず）を設けることが好ましい。
嵌合案内部は、どのように構成してもよく、例えば、両長壁部の先端部（嵌合方向先端部）の側端部に、嵌合凹部内へと案内する傾斜面をそれぞれ形成して構成するようにしてもよい。傾斜面の先端部間の幅は、対応する嵌合凹部４の内壁間の幅（間隔）より小さく形成するようにする。この傾斜面と共に、両短壁部の先端部の側端部に、ほぼ同様に嵌合凹部内へと案内する傾斜面をそれぞれ形成するようにしてもよい。
傾斜面の形状は、例えば、ＲやＣ面（平面）状に形成される。
【００２０】
単＊型乾電池７としては、市販されている単１乾電池、単２乾電池、単３型乾電池、単４乾電池、単５乾電池等の一次電池や、それら一次電池とほぼ同じ形の二次電池である。単＊型乾電池７としては、好ましくは、単３型乾電池、単４乾電池の一次電池、それら一次電池とほぼ同じ形の二次電池がよい。
一次電池としては、例えばマンガン電池でもアルカリ電池でもどちらでもよい。また、二次電池としては、充電可能な電池であれば特に限定されず、例えば、ニッケル水素電池でもニカド電池でもどちらでもよい。
【００２１】
本体８は、例えば断面ほぼ矩形、ほぼ円形、ほぼ楕円形、ほぼ多角形等の箱状に形成される。
本体８には、単＊型乾電池７を２本以上交換可能に収容する電池収容部（図示せず）が設けられている。
本体８に収容される単＊型乾電池の数は、２本以上であれば特に限定されないが、好ましくは図１に示すように３本、図２に示すように２本、図３に示すように４本、又は図４に示すように５本であることがよい。
【００２２】
電池収容部は、収容する単＊型乾電池７の種類、数、大きさに応じて形成され、具体的には例えば、図１に示すように単３型乾電池（一次電池と二次電池との両方を含む）７を３本並列に収容し得る断面凹状（矩形状）に形成される。なお、図２は、単３型乾電池（一次電池と二次電池との両方を含む）７を２本並列に収容する例であり、図３は、単３型乾電池（一次電池と二次電池との両方を含む）７を４本並列に収容する例であり、又は図４は、電池収容部が単３型乾電池（一次電池と二次電池との両方を含む）７を５本並列に収容する例である。これらは、基本的な構成が図１に示す単３型乾電池を３本並列に収容する場合と同じであるので、同一部分には同一符号を付し、その説明を省略する。
【００２３】
本体８には、電池収容部の開口部を開閉する蓋（図示せず）が着脱自在に取り付けられる。
蓋は、例えば平面視ほぼ矩形状に形成される。蓋は、本体８に着脱自在に取り付けられるならばどのように形成してもよい。例えば、蓋は、本体８内に設けられている蓋係合部（図示せず）に係合する蓋係合突起と、その蓋係合突起と対向する蓋の内壁に設けられ、本体８の蓋係合凹部（図示せず）に係合する蓋突起（図示せず）とを備え、蓋の両側壁を本体８の電池収容部を形成する両側壁面に当接させて蓋をスライドさせることにより、蓋係合突起と蓋係合部とが係合すると共に、蓋突起と蓋係合凹部とが係合して、蓋が着脱自在に取り付けられるようにしてもよい。
【００２４】
なお、蓋の裏面には、収容した単＊型乾電池７の長手方向にほぼ直交する方向への単＊型乾電池７の移動を防止する例えばほぼ三角形状の移動防止部（図示せず）を設けるようにしてもよい。また、蓋が当接する電池収容部を形成する側壁面の内側には、リブをその前面又は一部に立設して蓋の位置決めを容易に行えるようにしてもよい。
【００２５】
本体８には、電池収容部に収容される３本の単＊型乾電池７のプラス極にそれぞれ電気的に接続されるプラス端子１２、１２、１２と、マイナス極にそれぞれ電気的に接続されるマイナス端子１３、１３、１３とが設けられている。
プラス端子１２、１２、１２はそれぞれ個別に回路部９に電気的に接続され、この回路部９にプラス接触端子１０が接続されている。マイナス端子１３、１３、１３は、マイナス接触端子１１と接続されるマイナス連結端子１４にそれぞれ接続されて、３本の単＊型乾電池７が並列接続されるようになっている。つまり、接続手段１５は、回路部９、プラス端子１２、１２、１２、マイナス端子１３、１３、１３及びマイナス連結端子１４によって構成されて、単＊型乾電池７を並列接続するものである。なお、４本の単＊型乾電池７を接続する場合、図３に示すように４本の単＊型乾電池をすべて並列に接続することが好ましいが、２本の単＊型乾電池７を直列接続したものを２つ並列接続してもよく、また、２本の単＊型乾電池７を並列接続したものを２つ直列接続してもよい。
【００２６】
回路部９は、本体８に収容した単＊型乾電池７の出力電圧を、携帯電話機２を充電し得る充電許容電圧に昇圧する昇圧回路を備えている。
昇圧回路は、具体的には例えば、携帯電話機２の内蔵電池の電圧が５．３Ｖである場合には、本体８に収容した３本の並列接続した単＊型乾電池７の出力電圧が６．０〜６．８Ｖの充電許容電圧となるようにするものであり、どのように構成してもよい。
【００２７】
回路部９は、本体８に収容した単＊型乾電池７の出力電圧を調節する回路として昇圧回路のみを備える場合には、昇圧回路は、一次電池（例えば市販の単＊型の乾電池は電圧が約１．５Ｖ（±０．３Ｖ））と二次電池（例えば市販の充電可能な電池は電圧が約１．２Ｖ（±０．３Ｖ））とでは出力電圧が異なるので、一次電池を基準として回路を構成すると、二次電池の場合には出力電圧が充電許容電圧とならない場合があり、一次電池用の回路と二次電池用の回路の両方が必要になる。このため、携帯電話機用外付け電池ケース１は、一次電池用と二次電池用との２つを製造するようにする。
【００２８】
回路部９は、昇圧回路と共に調節制御回路を備えることが好ましい。
調節制御回路は、昇圧回路により昇圧した出力電圧が、充電許容電圧以外のとき、出力電圧を充電許容電圧に調節するものである。すなわち、一次電池と二次電池とでは出力電圧が異なるため、昇圧回路のみでは一次電池を用いた場合と二次電池を用いた場合とではどちらか一方の出力電圧が充電許容電圧にならないときがあるので、この場合に出力電圧を充電許容電圧になるように調節制御回路を備える。つまり、通常、昇圧回路が一次電池を基準として構成されると、一次電池を使用した場合では携帯電話機２の内蔵電池の充電を行えるが、二次電池を使用した場合では携帯電話機２の内蔵電池の充電を行えない場合があるので、一次電池と二次電池との両方で携帯電話機２の内蔵電池の充電を行えるように昇圧回路と調節制御回路との両方の回路を回路部９が備えていることが好ましい。
【００２９】
また、回路部９は、携帯電話機２を充電するために制御回路や保護回路を備えることが好ましい。また、回路部９には、昇圧回路や調節制御回路等の熱を放熱する放熱絶縁板（図示せず）を設けることが好ましい。
【００３０】
また、携帯電話機用外付け電池ケース１には、本体８を携帯電話機２に電気的に接続したときのみ、回路部９に単＊型乾電池７の電流が流れ得る状態にするスイッチ手段１６を設けることが好ましい。
スイッチ手段１６は、携帯電話機２の充電を行うときに回路部９に単＊型乾電池７の電流が流れ得る状態にするようにできるならばどのように構成してもよい。例えば、本体８の側部等にＯＮ・ＯＦＦを切り替える（回路部９への通電を切り替える）切替スイッチを設けるようにしてもよいが、充電を行うときのみに自動的に回路部９に電流が流れ得る状態にするようにすることが好ましい。
【００３１】
スイッチ手段１６は、具体的には例えば、接続コネクタ６に設けられ、接続コネクタ６をインターフェイスコネクタ３に挿嵌したとき、マイナスコネクタ端子５ｂに電気的に接続されている端子部のマイナスショートコネクタ端子５ｃに電気的に接続されるマイナスショート端子１７と、そのマイナスショート端子１７が電気的に接続され、マイナスショート端子１７とマイナスショートコネクタ端子５ｃとが電気的に接続されたときのみ、単＊型乾電池７の電流が流れ得る状態に動作する検知回路を有する回路部９とからなる。
【００３２】
また、回路部９は、切替回路を備えることが好ましい。
切替回路は、本体８に収容した２本以上の単＊型乾電池７を順に１本ずつ切り替えて携帯電話機２の充電を行うものである。その切替は、充電を行っている途中で行うようにしてもよいが、充電を行っている１本の単＊型乾電池７を使い切った後に行う（１本の単＊型乾電池７で携帯電話機２の充電が行えなくなるまで行い、その充電が行えなくなったら別の１本の単＊型乾電池７で携帯電話機２の充電を行うようにする）ことが好ましい。
【００３３】
また、本体８には、図５及び図６に示すように、本体８に収容した単＊型乾電池７の携帯電話機２への充電を行えるか否かの状態を表示する表示手段３０を設けることが好ましい。
表示手段３０は、単＊型乾電池７の状態を表示することができるならばどのようなものでもよく、例えば、インジケーター３１（図５参照）やＬＥＤ３２（図６参照）等が挙げられる。
【００３４】
インジケーター３１は、例えば、図５に示すように、本体８の回路部９上の表面に設けられている。インジケーターは、回路部９に電気的に接続されて、各単＊型乾電池７の状態をそれぞれ表示するものであることが好ましい。その表示は、各単＊型乾電池７に毎に充電を行えるか否かの２段階でもよいし、単＊型乾電池７からの電圧に応じて残量を３段階以上に表示するようにしてもよい。
【００３５】
ＬＥＤは、回路部９に電気的に接続されていると共に、例えば、本体８の回路部９上の表面に１つ設けて、色の変化により充電を行っているか否かを表示したり、どれかの１本の単＊型乾電池７で充電が行われているときに点灯させたりするようにしてもよい。
【００３６】
また、ＬＥＤ３２を、図６に示すように、本体８の回路部９上の表面であって、本体８に収容しうる各（図示例では３本の）単＊型乾電池７の近傍にそれぞれ２つ以上（図示例では３つ）設け、これらＬＥＤを回路部９にそれぞれ電気的に接続させて、充電を行える単＊型乾電池７の近傍のＬＥＤを点灯させると共に、充電を行えない単＊型乾電池７の近傍のＬＥＤを消灯させるようにしてもよい。
【００３７】
また、回路部９は、電圧決定回路を備えることが好ましい。
電圧決定回路は、携帯電話機２に電気的に接続され、該携帯電話機２からの信号により充電許容電圧を該携帯電話機２の充電許容電圧にするものである。すなわち、電圧決定回路は、携帯電話機２が製造メーカー、種類によってその充電許容電圧が異なる場合があるため、携帯電話機２に適した充電許容電圧で充電を行うためのものである。
【００３８】
携帯電話機２のインターフェイスコネクタ３は、１６個のコネクタ端子を有し、これらコネクタ端子のなかには、携帯電話機２の情報（充電許容電圧や機種等の情報）を電気信号により得ることができるものがある。このコネクタ端子が前記プラスコネクタ端子５ａ又は前記マイナスショートコネクタ端子５ｃであれば、前記プラス接触端子１０又は前記マイナスショート端子１７を利用すれば携帯電話機２の情報を得られるが、それ以外のコネクタ端子の場合には、それ以外のコネクタ端子に接続される端子を本体８に設けるようにする。また、コネクタ端子に接続しただけでは、携帯電話機２の情報（充電許容電圧や機種等の情報）が得られない場合には、回路部９から携帯電話機２に携帯電話機２の情報を得るための電気信号を出力して、これにより得られた信号に基づいて充電許容電圧を携帯電話機２の機種に応じた充電許容電圧になるようにしてもよい。
【００３９】
次にこの携帯電話機用外付け電池ケース１を用いて携帯電話機２の内蔵電池の充電を行う場合について説明する。
本体８の電池収容部に単３型乾電池（一次電池又は二次電池）が収容されていない場合、蓋を本体８から取り外して電池収容部を露出させる。この電池収容部に、例えば、市販されている一次電池であるアルカリ電池又はマンガン電池の単３型乾電池７を２本以上例えば３本、２本、４本、５本、プラス極が接続コネクタ６側になるように収容する。収容後、取り外した蓋を本体８に取り付ける。
【００４０】
単３型乾電池７が収容されている携帯電話機用外付け電池ケース１の接続コネクタ６を、図１乃至図４に示すように、携帯電話機２のインターフェイスコネクタ３の嵌合凹部４につき合わせて、接続コネクタ６を嵌合凹部４内に挿入して嵌合する。
【００４１】
この嵌合で、マイナス接触端子１１とマイナスコネクタ端子５ｂとが電気的に接続されると共に、マイナスショートコネクタ端子５ｃとマイナスショート端子１７とが電気的に接続される。つまり、単３型乾電池７のマイナス極と回路部９とが電気的に接続されて、検知回路が動作し、並列接続された３本、２本、４本、５本の単３型乾電池の電流が回路部９に流れる。これにより、単３型乾電池７の出力電圧が、昇圧回路によって携帯電話機２を充電し得る充電許容電圧に昇圧される。具体的には例えば、携帯電話機２の内蔵電池の電圧が５．３Ｖである場合には、出力電圧が６．０〜６．８Ｖとなるように昇圧される。
【００４２】
これによって、接続コネクタ６のプラス接触端子１０とインターフェイスコネクタ３のプラスコネクタ端子５ａとが電気的に接続されていることから、３本、２本、４本、５本を並列接続した単３型乾電池７により携帯電話機２の内蔵電池（バッテリー）の充電が行われる。
【００４３】
このように、２本以上の単３型乾電池７を並列接続して、携帯電話機２の充電を行うと、単３型乾電池７を直列接続する場合に比して、単３型乾電池７を効率よく使用することができる。つまり、直列接続では、１本の乾電池の電流が他の乾電池内を通過して、その一部が消耗するときがあるが、並列接続することで、乾電池７からの電流が他の乾電池７を通過することがないので、乾電池９の容量をより多く吸い上げる（効率よく使用する）ことができる。なお、４本の乾電池７を接続する場合、２本の乾電池７を直列接続したものを２つ並列接続したとき、また、２本の乾電池７を並列接続したものを２つ直列接続したときは、１本の乾電池７の電流が他の１本の乾電池７内を通過することがあるが、４本の乾電池７を直列接続した場合に比して、１本の乾電池７の電流が他の乾電池７内を通過することが少ないので、乾電池９の容量をより多く吸い上げる（効率よく使用する）ことができる。
【００４４】
また、回路部９が調節制御回路を備えていると、昇圧回路により昇圧した出力電圧が充電許容電圧でないときでも、出力電圧が充電許容電圧に調節されるので、携帯電話機２の内蔵電池（バッテリー）の充電が行われる。
すなわち、単３型乾電池７は一次電池と二次電池との２つがあり、これら一次及び二次電池は出力電圧が異なるため、昇圧回路のみでは一次電池を用いた場合と二次電池を用いた場合とではどちらか一方の出力電圧が充電許容電圧にならないときがある。この場合、調節制御回路が備えられていると、出力電圧が充電許容電圧になるように調節されるので、携帯電話機２の内蔵電池（バッテリー）の充電を一次電池及び二次電池にかかわらず行うことができる。
【００４５】
また、接続コネクタ６に抜出抑制部が設けられていると、接続コネクタ６がインターフェイスコネクタ３（嵌合凹部４）から抜け難くなっているので、携帯電話機用外付け電池ケース１が簡単に抜けることなく携帯電話機２の内蔵電池の充電を行える。
【００４６】
そして、内蔵電池の充電が終了した場合等には、接続コネクタ６を嵌合凹部４から引き抜く。接続コネクタ６を嵌合凹部４から引き抜くと、マイナス接触端子１１とマイナスコネクタ端子５ｂとの接続、及びマイナスショートコネクタ端子５ｃとマイナスショート端子１７との接続がそれぞれ切れて、検知回路が非動作となり、回路部９に単３型乾電池７の電流が流れなくなる。
【００４７】
このように、充電を行うときのみ回路部９に電流が流れるので、本体８（電池収容部）に単３型乾電池７を収容したままでも単３型乾電池７が放電することがなくなる。すなわち、本体８（電池収容部）に単３型乾電池７を収容し、その単３型乾電池７の電流が回路部９に流れ得る状態であると、回路部９は回路を内蔵しているため、単３型乾電池７が内部放電するので、単３型乾電池７が消耗する。長期間本体８（電池収容部）に単３型乾電池７を収容していると、電池切れを起こすことになるからである。
【００４８】
また、３本、２本、４本、５本の単＊型乾電池７のプラス極がそれぞれ個別にプラス端子１２、１２、１２を介して、プラス接触端子１０に接続される回路部９に電気的に接続されると共に、３本、２本、４本、５本の単＊型乾電池７のマイナス極が、マイナス端子１３、１３、１３を介してマイナス接触端子１１と接続されるマイナス連結端子１４にれぞれ接続されて、３本、２本、４本、５本の単＊型乾電池７が並列接続され、かつ、携帯電話機２の充電を行うときにのみ回路部９に単＊型乾電池７の電流が流れ得る状態にするスイッチ手段１６を設けることで、各単＊型乾電池７の電流が他の単＊型乾電池７に流れることなく、安全に携帯電話機２の内蔵電池（バッテリー）の充電を行える。
【００４９】
また、スイッチ手段１６がマイナスショート端子１７と検知回路を有する回路部９とからなることで、簡単な構造でスイッチ手段１６を構成することができ、本発明の携帯電話機用外付け電池ケース１は工業的価値が高いものである。
【００５０】
また、回路部９が切替回路、特に充電を行っている１本の単＊型乾電池７を使い切った後に２本以上の単＊型乾電池７を順に１本ずつ切り替えて携帯電話機２の充電を行う切替回路を備えていると、単＊型乾電池７を１本ずつ確実に使い切ることができ、無駄な単＊型乾電池７がでることがない。
【００５１】
また、本体８にインジケーター３１やＬＥＤ３２等の表示手段３０を設けることにより、本体８に収容した単＊型乾電池７の状態を容易に把握することができる。このため、不要な単＊型乾電池７がどれであるか容易に把握することができ、単＊型乾電池７の交換時期がわかると共に、携帯電話機用外付け電池ケース１で充電を行えるか容易に把握することができる。
【００５２】
また、回路部９が電圧決定回路を備えていると、携帯電話機２の機種に応じた充電許容電圧になるため、携帯電話機２への充電を安全にしかも高性能に行える携帯電話機用外付け電池ケース１が得られることになる。
【００５３】
【発明の効果】
単＊型乾電池を効率よく使用することができる携帯電話機用外付け電池ケースが得られる。
【図面の簡単な説明】
【図１】本発明の携帯電話機用外付け電池ケースを携帯電話機に接続させる一例を示す概略構成図である。
【図２】本発明の他の例の携帯電話機用外付け電池ケースを携帯電話機に接続させる一例を示す概略構成図である。
【図３】本発明の他の例の携帯電話機用外付け電池ケースを携帯電話機に接続させる一例を示す概略構成図である。
【図４】本発明の他の例の携帯電話機用外付け電池ケースを携帯電話機に接続させる一例を示す概略構成図である。
【図５】本発明の表示手段の一例を示す図である。
【図６】本発明の表示手段の他の例を示す図である。
【符号の説明】
１    携帯電話機用外付け電池ケース
２    携帯電話機
３    インターフェイスコネクタ
４    嵌合凹部
６    接続コネクタ
７    単＊型乾電池
８    本体
９    回路部
１６  スイッチ手段
【図１】
2004273411.tif 000003
【図２】
2004273411.tif 000004
【図３】
2004273411.tif 000005
【図４】
2004273411.tif 000006
【図５】
2004273411.tif 000007
【図６】
2004273411.tif 000008